(57)【特許請求の範囲】
【請求項１】
構造物の基礎の側近に設けられる鋼管杭に嵌る嵌合筒（３）を有し、前記基礎の下方に突き出す支持板（２）と、前記鋼管杭上に載せられ、ジャッキの載る台座（４）と、その台座（４）の上方に配置される基板（１１）とその基板（１１）の左右方向両側からそれぞれ下方に延びるねじ軸（１２）とを有する持ち上げ部材（５）とを備え、そのねじ軸（１２）の下部に前記支持板（２）が取り付けられた傾斜修復器具であって、
前記持ち上げ部材（５）は、そのねじ軸（１２）が前記台座（４）の左右方向両側にそれぞれ貫通し、前記支持板（２）の上方で前記台座（４）が前記ねじ軸（１２）に対して上下方向に移動可能であり、前記各ねじ軸（１２）が前記台座（４）の上方にねじ結合するナット（１５）を備え、前記嵌合筒（３）が前記支持板（２）に対して別体とされ、前記支持板（２）は、前記嵌合筒（３）を後方から差し込み可能な前後方向の切り欠き（７）を有し、前記嵌合筒（３）が前記支持板（２）に保持される係止片（９）を有し、その係止片（９）が前記支持板（２）に保持される状態で、前記持ち上げ部材（５）のねじ軸（１２）が前記嵌合筒（３）の係止片（９）の左右両側にそれぞれ貫通するようにした傾斜修復器具。
【請求項２】
前記嵌合筒（３）が前記支持板（２）の切り欠き（７）に差し込まれる状態で、前記係止片（９）が、前記支持板（２）の切り欠き（７）の周縁部上に係止可能である請求項１に記載の傾斜修復器具。
【請求項３】
前記支持板（２）は、その切り欠き（７）の左右両側の周縁部に前後方向の長穴（２ａ）を有し、前記持ち上げ部材（５）のねじ軸（１２）は、前記支持板（２）の長穴（２ａ）に貫通する状態で、その支持板（２）の下方でねじ結合するナット（１６）を備えた請求項２に記載の傾斜修復基部。
【請求項４】
前記支持板（２）が左右一対のガイド片を備え、左右一対の前記ガイド片は、前記支持板（２）との間で、前記嵌合筒（３）の係止片（９）を前後方向に案内可能に保持するようにした請求項１または２に記載の傾斜修復器具。
【発明の詳細な説明】
【技術分野】
【０００１】
この発明は、構造物の基礎を持ち上げ、その傾斜を修復する際に使用される傾斜修復器具に関する。
【背景技術】
【０００２】
従来から、地盤沈下による構造物の傾斜を修復するために、傾斜修復器具が用いられている。この構造物の傾斜修復器具としては、例えば、鋼管杭に上下動可能に取り付けられる持ち上げ部材と、ジャッキ載置台と、引き上げ枠とを備えたものが知られている（特許文献１参照）。
【０００３】
特許文献１に記載の傾斜修復器具の持ち上げ部材は、鋼管杭の外周に上下動可能に嵌められる筒体に、側方に突出する持上げ梁を形成したものである。ジャッキ据置台は、鋼管杭に挿入可能な挿入突起を備えた筒体に、側方に突出する断面Ｈ型の台座を形成したものである。また、引き上げフレームは、門形のフレーム本体と、フレーム本体の両下端に形成した支持孔に挿通する持上げ杆とを備えるものである。
【０００４】
この傾斜修復器具を用いた構造物の傾斜を修復する工法は、掘削穴内の基礎の側近に打設した鋼管杭の外周に持ち上げ部材の筒体を嵌合し、鋼管杭の上端にジャッキ据置台の挿入突起を挿入して持ち上げ部材とジャッキ据置台を取り付ける。このとき、持上げ梁を基礎下面に突き合わせ、ジャッキ据置台の台座上に油圧ジャッキを載置する。
【０００５】
次に、ジャッキ据置台の台座と、持ち上げ部材の持上げ梁との上方から引上げフレームを被せ、持上げ梁の下面で引上げフレームの支持孔に持上げ杆を挿入する。その後、油圧ジャッキを操作して引上げフレームを介して持ち上げ部材を引上げることで、基礎を引上げる。
【０００６】
このようにして基礎を所定位置まで引上げた状態で、持ち上げ部材の筒体を鋼管杭に溶接により固定して、ジャッキ据置台と引上げフレームを取り外して、構造物の傾斜を修復することができる。
【先行技術文献】
【特許文献】
【０００７】
【特許文献１】特公昭５９−４３６１２号公報
【発明の概要】
【発明が解決しようとする課題】
【０００８】
上記引用文献１に記載の傾斜修復器具では、構造物の基礎を所定位置まで持ち上げた状態で、持ち上げ部材の筒体を鋼管杭に溶接固定する必要があり、溶接作業に伴う器具の準備などを別途行う必要があり、構造物の傾斜修復の作業性が悪いものであった。
【０００９】
また、溶接作業を実施するために、基礎の直下又は側近に予め深い穴を掘削して大きな作業空間を確保する必要があり、掘削作業が大がかりとなって、作業性に影響を及ぼすという問題があった。
【００１０】
そこで、この発明の課題は、構造物の傾斜修復における作業性が良好な構造物傾斜修復器具を提供することである。
【課題を解決するための手段】
【００１１】
前記の課題を解決するために、この発明に係る傾斜修復器具は、構造物の基礎の側近に設けられる鋼管杭に嵌る嵌合筒を有し、前記基礎の下方に突き出す支持板と、前記鋼管杭上に載せられ、ジャッキの載る台座と、その台座の上方に配置される基板とその基板の左右方向両側からそれぞれ下方に延びるねじ軸とを有する持ち上げ部材とを備え、そのねじ軸の下部に前記支持板が取り付けられた傾斜修復器具であって、
前記持ち上げ部材は、そのねじ軸が前記台座の左右方向両側にそれぞれ貫通し、前記支持板の上方で前記台座が前記ねじ軸に対して上下方向に移動可能であり、前記各ねじ軸が前記台座の上方にねじ結合するナットを備えた構成を採用することができる。
【００１２】
この構成によると、傾斜した構造物の基礎の下方に支持板を配置し、台座上のジャッキを操作することにより持ち上げ部材の基板が上昇する。上昇する基板の左右方向両側からそれぞれ下方に延びるねじ軸を介して、支持板が引き上げられ、その支持板により基礎が引き上げられる。この引き上げ状態で、台座の上方においてねじ軸にねじ結合するナットを回転させ、台座に突き合わせることで持ち上げ部材の位置が固定されるので、支持板の位置を容易に固定することが可能となる。
【００１３】
また、ナットの回転操作のみで、支持板の位置を固定することができるため、従来の傾斜修復器具のように、支持板の筒体を鋼管杭に溶接により固定する必要がない。したがって、溶接作業を実施するために、基礎の直下又は側近に予め深い穴を掘削して大きな作業空間を確保する必要がない。
【発明の効果】
【００１４】
この発明の傾斜修復器具は、支持板により基礎が引き上がる状態で、持ち上げ部材のねじ軸にねじ結合するナットを回転させ、台座に突き合わせることのみで、支持板の位置が固定されるので、構造物の傾斜修復における作業性が良好となる。
【図面の簡単な説明】
【００１５】
【図１】この発明の第一実施形態の傾斜修復器具を示す斜視図
【図２】同上の傾斜修復器具を示す分解斜視図
【図３】同上の傾斜修復器具を示す正面図
【図４】（ａ）構造物の基礎下方に穴を掘った状態を示す概略図、（ｂ）構造物の基礎側近で鋼管杭を埋設した状態を示す概略図
【図５】（ａ）同上の支持板に係止した嵌合筒を固定した状態を示す概略図、（ｂ）同上の支持板に嵌合筒を嵌めた状態を示す概略図
【図６】（ａ）同上の支持板の回転後の状態を示す概略図、（ｂ）同上の支持板が基礎下部を受けた状態を示す概略図
【図７】（ａ）同上の基礎と鋼管杭に支持板と嵌合筒を取り付けた状態を示す図、（ｂ）支持板に持ち上げ部材のねじ軸が取り付けられた状態を示す図
【図８】（ａ）同上の傾斜修復器具の使用直前の状態を示す図、（ｂ）構造物の基礎を持ち上げた状態を示す図
【図９】同上の傾斜修復器具の使用後の状態を示す図
【図１０】（ａ）同上の支持板の下方に嵌合筒を固定した状態を示す概略図、（ｂ）同上の支持板に嵌合筒を嵌めた状態を示す概略図
【図１１】この発明の第二実施形態の傾斜修復器具の支持板を示す斜視図
【図１２】同上の傾斜修復器具の使用状態を示す図
【図１３】（ａ）同上の支持板に嵌合筒を差し込む前の状態を示す概略図、（ｂ）支持板に嵌合筒を差し込んだ状態を示す概略図
【図１４】この発明の第三実施形態の傾斜修復器具の支持板を示す斜視図
【図１５】同上の傾斜修復器具の使用状態を示す図
【図１６】（ａ）同上の支持板に嵌合筒を差し込む前の状態を示す概略図、（ｂ）支持板に嵌合筒を差し込んだ状態を示す概略図
【発明を実施するための形態】
【００１６】
以下、この発明の第一実施形態に係る傾斜修復器具を図１〜図１０に基づいて説明する。
この傾斜修復器具１は、図１〜図３に示すように、構造物２０の基礎２１の下方に突き出す支持板２と、基礎２１の側近に設けられる鋼管杭３０の外周部に嵌る嵌合筒３と、鋼管杭３０上に載せられ、ジャッキ３２の載る台座４と、ジャッキに３２より支持板２を持ち上げる持ち上げ部材５とを備える。
【００１７】
支持板２は、図２に示すように、矩形をなし、前後方向（構造物２０に向かって前後方向）途中位置において直角に立ち上がる固定片６と、支持板２の後方側の縁部から中央に向かって形成された前後方向の切り欠き７と、切り欠き７の左右両側に形成された前後方向の長孔２ａ、２ａとを備える。
【００１８】
固定片６は、支持板２の左右方向（構造物に向かって左右方向）の全長に配置され、その両側に補強片８、８を備える。また、固定片６は、補強片８、８の左右方向外側に上下方向の長孔６ａ、６ａを有する。補強片８は、固定片６の後側に配置され、固定片６を支持板２に対して直角に支持する。
【００１９】
切り欠き７は、支持板２の後側縁の中央から嵌合筒３が前後方向に差し込み可能な左右方向の幅を有する。切り欠き７の前側縁は、嵌合筒３の外周に沿う半円状に形成される。切り欠き７の左右両側の長孔２ａは、補強片８よりも左右方向内側に配置される。
【００２０】
切り欠き７により、嵌合筒３が支持板２に対して切り欠き７内で前後方向に移動可能となる。このため、構造物２０の基礎２１と鋼管杭３０との距離Ｘに応じて、支持板２に対して、切り欠き７内での嵌合筒３の前後方向の位置が調整可能となる（図５（ａ）参照）。
【００２１】
嵌合筒３は円筒状をなし、上端部に矩形の係止片９を備え、係止片９の中央に嵌合筒３が貫通している。係止片９は、その上面が嵌合筒３の上端面に一致し、左右方向両側に貫通孔９ａ、９ａが設けられる。また、係止片９は、左右方向の幅が固定片６の二つの補強片８、８の間隔よりも小さく形成される。嵌合筒３は、支持板２に対して別体となっているが、支持板２にこれを貫通する円筒状の嵌合筒３を設けて、支持板２がこれと一体の嵌合筒３を有するものとしてもよい。
【００２２】
嵌合筒３が支持板２の切り欠き７に差し込まれる状態において、係止片９は、支持板２の切り欠き７の周縁部上に係止可能となり、前側縁部が支持板２の固定片６よりも後側に位置する。また、この係止状態で、係止片９の左右方向両側の貫通孔９ａ、９ａが、支持板２の左右方向両側の長孔２ａ、２ａにそれぞれ一致する。
【００２３】
嵌合筒３の上方に配置される台座４は、係止片９と同じ大きさの矩形の板体であり、下面中央に固定される嵌合リング１０と、左右方向両側に設けられる貫通孔４ａ、４ａとを有する。嵌合リング１０は、円環状をなし、その内径が鋼管杭３０の外径よりも大きく、内部に鋼管杭３０が嵌合可能となる。
【００２４】
また、台座４は、嵌合リング１０を鋼管杭３０内に嵌合した状態において、貫通孔４ａが、係止片９の貫通孔９ａに一致する。
【００２５】
持ち上げ部材５は、台座４の上方に配置される基板１１と、基板１１の左右方向両側からそれぞれ下方に延びるねじ軸１２と、ねじ軸１２にねじ込み可能な下ナット１６とを有する。基板１１は、係止片９の左右方向の幅と同じ幅の矩形の板体であり、左右方向両側にねじ軸１２が通る貫通孔１１ａ、１１ａを有する。
【００２６】
ねじ軸１２は、図３に示すように、上ねじ軸１２ａ及び下ねじ軸１２ｂが長ナット１３により上下方向に連結されたものである。ねじ軸１２は、上端部が基板１１の左右両側の貫通孔１１ａ、１１ａにそれぞれ挿通される状態で、上ナット１４、１４により、基板１１に取り付けられる。
【００２７】
なお、ねじ軸１２は、上ねじ軸１２ａと下ねじ軸１２ｂとに分離可能であるが、１本のねじ軸から構成してもよい。ねじ軸１２が、上ねじ軸１２ａと下ねじ軸１２ｂと分離可能であれば、後述のように、構造物の傾斜修復後、長ナット１３を回転操作し、基板１１と共に上ねじ軸１２ａを下ねじ軸１２ｂから取り外すことが可能となる。
【００２８】
また、ねじ軸１２は、下ねじ軸１２ｂに中ナット１５がねじ結合し、中ナット１５よりも下方において、台座４の左右方向両側の貫通孔４ａ、４ａにそれぞれ挿通される。このため、下ねじ軸１２ｂは、台座４の上方にねじ結合する中ナット１５を備えるものとなる。
【００２９】
また、ねじ軸１２は、台座４の下方において、固定ナット１７がねじ結合し、固定ナットの１７よりも下方において、嵌合筒３が支持板２の切り欠き７に嵌め合わされる状態の係止片９の貫通孔９ａ、及び支持板２の長孔２ａに挿通される。さらに、支持板２よりも下方において、下ナット１６がねじ軸１２の下端部に嵌め合わされる。下ナット１６により、支持板２がねじ軸１２に対して取り付けられる。
【００３０】
この発明の傾斜修復器具１は上記のような構成であり、以下にその使用方法を図４〜１０に基づいて説明する。
【００３１】
まず、基礎２１が布基礎である構造物２０において、傾斜修復箇所における基礎２１の下方及び側近を掘削する。続いて、図４（ａ）に示すように、構造物２０の外壁から外側に突き出す基礎２１の突出部２１ａを掘削ドリルなどで砕いて除去し、傾斜修復の作業空間Ｓを確保する。なお、構造物の基礎がべた基礎である場合等、構造物の基礎において、外壁から外側に突き出す突出部がないときは、この突出部を除去する必要はない。
【００３２】
続いて、図４（ｂ）に示すように、基礎２１の外側の側近において、複数の鋼管杭３０を、基礎２１下方の地盤から反力が得られるまで、順次上下方向に連結しつつ、回転により埋設する。ここで、鋼管杭３０としては、その外周部にらせん状に取り付けられたプレート状のブレード３１を備えるものを採用することができる。この場合、鋼管杭３０は、公知の回転装置（図示省略）、例えばオーガ回転装置等を用いて回転させて地面に埋設する。
【００３３】
ここで、鋼管杭３０として、ブレード３１を備えていないものを用いてもよい。この場合、油圧、空気圧、機械式などのハンマ、重錘等で鋼管杭３０を打撃して、地面中に貫入させることができる。その一方で、ブレード３１を備える鋼管杭３０を用いると、ブレード３１が地面に食い込むため、打撃貫入させる鋼管杭を用いた場合よりも、鋼管杭３０が安定する。また、回転させることで、鋼管杭３０はブレード３１により地中を掘り進み、反力が得られる目標深度まで容易に到達させることが可能となる。
【００３４】
次に、図５（ａ）に示すように、基礎２１の外面と鋼管杭３０の径方向の中心との距離Ｘを測定する。そして、支持板２の切り欠き７に嵌合筒３を差し込み、係止片９を切り欠き７の周縁部上に係止させ、嵌合筒３の係止片９と支持板２とを固定する。その固定は、前記測定に基づいて、予め、作業空間Ｓの外で溶接により行われる。固定により、嵌合筒３の径方向の中心と、固定片６の補強片８側と反対面とが、距離Ｘと同じ距離Ｙとなる。
【００３５】
続いて、図５（ｂ）に示すように、支持板２のうち、固定片６に対して補強片８側と反対側の部分（受け部分）を鋼管杭３０よりも後側に配置させた状態で、嵌合筒３を鋼管杭３０に通す。
【００３６】
嵌合筒３を鋼管杭３０に通した状態で、図６（ａ）に示すように、支持板２の受け部分が基礎２１の下方に位置するまで、支持板２を作業空間Ｓ内で回転させる。支持板２の回転後、図６（ｂ）に示すように、支持板２を上昇させて、支持板２の受け部分を基礎２１の下部に突き合わせるとともに、固定片６を基礎２１の側面に沿わせる。
【００３７】
この状態で、図７（ａ）に示すように、固定片６の長孔６ａ、６ａに座金を介してボルト２２をそれぞれ挿通し、基礎２１にねじ込むことで、基礎２１に対して支持板２を仮固定する。ここで、ボルト２２によるねじ込みは、後述するジャッキ３２の操作後に行う本締めとして行うことができる。
【００３８】
また、固定片６は、左右方向両側に上下方向の長孔６ａ、６ａを有しているため、長孔６ａ内において基礎２１に対して上下方向任意の位置にボルト２２をねじ込むことができる。必要に応じて複数本のボルト２２をねじ込んでもよい。
【００３９】
次に、図７（ｂ）に示すように、係止片９の貫通孔９ａ及び支持板２の長孔２ａにねじ軸１２の下ねじ軸１２ｂを挿通し、下ねじ軸１２ｂに対して、支持板２の下部に下ナット１６を締め付け、係止片９の上部に固定ナット１７を締め付ける。下ナット１６と固定ナット１７とを締め付けると、係止片９と支持板２が一体化され、嵌合筒３が係止片９を介して支持板２に保持される。
【００４０】
下ナット１６と固定ナット１７との締め付け後、台座４の貫通孔４ａにねじ軸１２の下ねじ軸１２ｂを挿通し、鋼管杭３０の最上端の外周部に台座４の嵌合リング１０を嵌め、台座４よりも上方で、下ねじ軸１２ｂに中ナット１５を締め付ける。
【００４１】
次に、図８（ａ）に示すように、台座４の上にジャッキ３２を載せ、下ねじ軸１２ｂの上部に上ねじ軸１２ａを長ナット１３により連結してねじ軸１２とする。ねじ軸１２の上ねじ軸１２ａに、持ち上げ部材５の基板１１の左右方向両側の貫通孔１１ａ、１１ａをそれぞれ挿通し、ジャッキ３２のピストン３２ａ上に基板１１を配置する。なお、ジャッキ３２は、油圧式、機械式、空気圧式など、公知のものを適用することができる。
【００４２】
その後、基板１１上において、上ナット１４を上ねじ軸１２ａに締め付ける。このとき、ジャッキ３２のピストン３２ａは、最も下方に位置した状態となっている。
【００４３】
以上のようにして、基礎２１の下部に傾斜修復器具１が取り付けられる。続いて、図８（ｂ）に示すように、ジャッキ３２を操作して、そのピストン３２ａを上昇させる。ここで、台座４は、鋼管杭３０上に載っており、下方に移動できないことから、ピストン３２ａの上昇に伴い、持ち上げ部材５により、支持板２が引き上がる。
【００４４】
すなわち、ピストン３２ａの上昇に伴い、基板１１が上昇し、基板１１に取り付けたねじ軸１２を介して、支持板２が引き上げられる。支持板２の引き上げに伴って、基礎２１が引き上がる。
【００４５】
基礎２１を所定位置まで引き上げた状態では、ねじ軸１２に締め付けられる中ナット１５が、台座４に対して基板１１の引き上げ高さ分だけ上方に移動している（図８（ｂ）の一点鎖線参照）。この状態の中ナット１５を回転させて（図８（ｂ）の実線参照）、台座４に突き合わせる。
【００４６】
中ナット１５の回転操作により、ねじ軸１２は中ナット１５が台座４に突き当たる位置で保持され、ねじ軸１２に引き上げられた支持板２で基礎２１を引き上げた状態で保持される。すなわち、中ナット１５の回転操作によって、支持板２で基礎２１を引き上げた状態で保持することができる。このため、従来の傾斜修復器具の場合と異なり、大掛かりな溶接作業が不要となり、傾斜修復の作業性が良好なものとなる。
【００４７】
また、溶接作業に伴って、基礎２１の直下又は側近に予め深い穴を空ける必要がなく、鋼管杭３０を基礎２１の側近に回転により埋め込み可能な作業空間が確保されていればよい。
【００４８】
その後、ピストン３２ａを押し下げてジャッキ３２を台座４から取り外す。その後、図９に示すように、長ナット１３を回転操作し、上ねじ軸１２ａを下ねじ軸１２ｂから取り外す。最後に、構造物２０の基礎２１を土で埋め戻して、構造物の傾斜修復作業を終える。
【００４９】
また、構造物の傾斜修復作業が終了した後、時間経過に伴い、構造物の傾斜が再発した場合であっても、この実施形態の傾斜修復器具を再利用することができる。
【００５０】
すなわち、地面を台座４の下方まで掘り、台座４上にジャッキ３２を載せ、下ねじ軸１２ｂの上部に長ナット１３により上ねじ軸１２ａを連結する。そして、ジャッキ３２のピストン３２ａ上に基板１１を載せて、基板１１上において、上ナット１４を上ねじ軸１２ａに締め付ける。
【００５１】
このようにして、再度、基礎２１の下部に傾斜修復器具１を取り付けることができ、上述した手順で基礎２１を持ち上げることができので、傾斜修復作業を再度容易に行うことができる。
【００５２】
なお、この第一実施形態では、支持板２の切り欠き７に嵌合筒３を差し込み、係止片９を切り欠き７の周縁部上に係止させ、嵌合筒３の係止片９と支持板２とを固定しているが、これに限られない。例えば、図１０（ａ）、（ｂ）に示すように、支持板２の下方に、嵌合筒３の係止片９を溶接により固定してもよい。この場合、嵌合筒３が鋼管杭３０に挿通可能であり、かつ嵌合筒３の径方向の中心と、固定片６の補強片８側と反対面とが、距離Ｘと同じ距離Ｙとなるように固定される。
【００５３】
この発明に係る第二実施形態を図１１〜１３に基づいて説明する。
この第二実施形態においては、図１１に示すように、支持板２が、左右の補強片８、８の左右方向内側に左右一対の上部ガイド片２３を備えている点で、前述した第一実施形態と相違する。上部ガイド片２３を備える以外の構成は、前記第一実施形態と同様であり、第一実施形態の構成と同じ構成と考えられるものには、同じ符号を付してその説明を省略する。
【００５４】
この実施形態の左右一対の上部ガイド片２３は、帯状をなし、固定片６と補強片８とに、支持板２の切り欠き７の周縁部に対して間隔をもって固定されている。また、左右一対の上部ガイド片２３は、前後方向の長孔２３ａが形成され、その長孔２３ａが支持板２の長孔２ａに一致している。
【００５５】
各上部ガイド片２３の後縁部は、支持板２の後縁部と一致しており、左右の上部ガイド片２３の左右方向の間隔は、支持板２の切り欠き７の左右方向の幅よりも大きく形成される。上部ガイド片２３と支持板２の切り欠き７の周縁部との間隔は、嵌合筒３の係止片９の厚みよりも大きく形成され、左右一対の上部ガイド片２３は、支持板２との間において係止片９を前後方向に差し込み可能に案内する。
【００５６】
図１２に示すように、左右一対の上部ガイド片２３は、支持板２との間に係止片９が差し込まれるとともに、嵌合筒３が支持板２の切り欠き７に差し込まれる。この状態で、上部ガイド片２３の長孔２３ａ、係止片９の貫通孔９ａ及び支持板２の長孔２ａにねじ軸１２の下ねじ軸１２ｂが挿通される。挿通される下ねじ軸１２ｂに対して、支持板２の下部に下ナット１６が締め付けられ、上部ガイド片２３の上部に固定ナット１７が締め付けられる。
【００５７】
下ナット１６と固定ナット１７とが締め付けられると、係止片９は、上部ガイド片２３と支持板２との間に、前後方向の全長にわたって挟まれた状態となる。このため、嵌合筒３が係止片９を介して支持板２に保持される。
【００５８】
上記構成の第二実施形態では、図１３（ａ）に示すように、上述した第一実施形態の場合と同様に、まず、基礎２１の下方に傾斜修復の作業空間Ｓを確保する。その後、支持板２の受け部分を鋼管杭３０よりも後側に配置させた状態で、嵌合筒３の係止片９を支持板２と左右一対の上部ガイド片２３との間に差し込む。
【００５９】
この状態で、図１３（ｂ）に示すように、嵌合筒３を鋼管杭３０に通す。なお、嵌合筒３を鋼管杭３０に通した後、嵌合筒３の係止片９を支持板２と左右一対の上部ガイド片２３との間に差し込んでもよい。
【００６０】
続いて、第一実施形態の場合と同様に、基礎２１に対して支持板２を仮固定する。その後、図１３に示すように、上部ガイド片２３の長孔２３ａ、係止片９の貫通孔９ａ及び支持板２の長孔２ａにねじ軸１２の下ねじ軸１２ｂを挿通する。挿通した下ねじ軸１２ｂに対して、支持板２の下部に下ナット１６を締め付け、上部ガイド片２３の上部に固定ナット１７を締め付ける。そして、第一実施形態の場合と同様の傾斜修復の作業を行う。
【００６１】
傾斜修復の作業において、鋼管杭３０と基礎２１との間に間隔があることから、支持板２を持ち上げ部材５により持ち上げる際、傾斜修復器具１に対して基礎２１側に傾く傾斜モーメントが作用する。
【００６２】
この実施形態では、係止片９は、上部ガイド片２３と支持板２との間に前後方向の全長にわたって挟まれた状態である。この係止片９を介して嵌合筒３は、鋼管杭３０に確実に支えられて、反力が作用する。この反力によって上記傾斜モーメントに対抗することができ、基礎２１をより安定して持上げることができる。
【００６３】
この発明の第三実施形態を図１４〜１６に基づいて説明する。
この第三実施形態においては、図１４に示すように、支持板２がその下面に左右一対の下部ガイド片２４、２４を備えている点で、前述した第一実施形態と相違する。下部ガイド片２４、２４を備える以外の構成は、前記第一実施形態と同様であり、第一実施形態の構成と同じ構成と考えられるものには、同じ符号を付してその説明を省略する。
【００６４】
この実施形態の左右一対の下部ガイド片２４は、帯状の受け板部２４ａと、受け板部２４ａの幅方向（左右方向）の片側に長さ方向（前後方向）の全長に形成されたフランジ２４ｂとを有する。
【００６５】
下部ガイド片２４は、支持板２の下面に対して、左右の補強片８の下方にフランジ２４ｂが固定され、受け板部２４ａが左右方向内側に配置されている。また、下部ガイド片２４は、前後方向の長孔２４ｃが形成され、その長孔２４ｃが支持板２の長孔２ａに一致している。
【００６６】
各下部ガイド片２４の後縁部は、支持板２の後縁部と一致しており、左右の下部ガイド片２４の受け板部２４ａの左右方向における間隔は、支持板２の切り欠き７の左右方向の幅よりも大きく形成される。下部ガイド片２４と支持板２の切り欠き７の周縁部との間隔は、嵌合筒３の係止片９の厚みよりも大きく形成され、左右一対の下部ガイド片２４は、支持板２との間において係止片９を前後方向に差し込み可能に案内する。
【００６７】
図１５に示すように、左右一対の下部ガイド片２４は、その受け板部２４ａと支持板２との間に係止片９が差し込まれるとともに、嵌合筒３が支持板２の切り欠き７に差し込まれる。この状態で、下部ガイド片２４の長孔２４ｃ、係止片９の貫通孔９ａ及び支持板２の長孔２ａにねじ軸１２の下ねじ軸１２ｂが挿通される。挿通される下ねじ軸１２ｂに対して、下部ガイド片２４の下部に下ナット１６が締め付けられ、係止片９の上部に固定ナット１７が締め付けられる。
【００６８】
下ナット１６と固定ナット１７とが締め付けられると、係止片９は、支持板２と下部ガイド片２４の受け板部２４ａとの間に、前後方向の全長にわたって挟まれた状態となる。このため、嵌合筒３が係止片９を介して支持板２に保持される。
【００６９】
上記構成の第三実施形態では、図１６（ａ）に示すように、上述した第一実施形態の場合と同様に、まず、基礎２１の下方に傾斜修復の作業空間Ｓを確保する。その後、支持板２の受け部分を鋼管杭３０よりも後側に配置させた状態で、嵌合筒３の係止片９を支持板２と左右一対の下部ガイド片２４の受け板部２４ａとの間に差し込む。
【００７０】
この状態で、図１６（ｂ）に示すように、嵌合筒３を鋼管杭３０に通す。なお、嵌合筒３を鋼管杭３０に通した後、嵌合筒３の係止片９を支持板２と左右一対の下部ガイド片２４との間に差し込んでもよい。
【００７１】
続いて、第一実施形態の場合と同様に、基礎２１に対して支持板２を仮固定する。その後、図１６に示すように、下部ガイド片２４の長孔２４ｃ、係止片９の貫通孔９ａ及び支持板２の長孔２ａにねじ軸１２の下ねじ軸１２ｂを挿通する。挿通した下ねじ軸１２ｂに対して、下部ガイド片２４の下部に下ナット１６を締め付け、係止片９の上部に固定ナット１７を締め付ける。そして、第一実施形態の場合と同様の傾斜修復の作業を行う。
【００７２】
この実施形態では、係止片９は、下部ガイド片２４の受け板部２４ａと支持板２との間に前後方向の全長にわたって挟まれた状態である。この係止片９を介して嵌合筒３は、鋼管杭３０に確実に支えられて、反力が作用する。この反力によって上記傾斜モーメントに対抗することができ、上記第二実施形態と同様に、基礎２１をより安定して持上げることができる。
【符号の説明】
【００７３】
１  傾斜修復器具
２  支持板
２ａ  長孔
３  嵌合筒
４  台座
４ａ  貫通孔
５  持ち上げ部材
６  固定片
６ａ  長孔
７  切り欠き
８  補強片
９  係止片
９ａ  貫通孔
１０  嵌合リング
１１  基板
１１ａ  貫通孔
１２  ねじ軸
１２ａ  上ねじ軸
１２ｂ  下ねじ軸
１３  長ナット
１４  上ナット
１５  中ナット
１６  下ナット
１７  固定ナット
２０  構造物
２１  基礎
２１ａ  突出部
２２  ボルト
２３  上部ガイド片
２３ａ  長孔
２４  下部ガイド片
２４ａ  受け板部
２４ｂ  フランジ
２４ｃ  長孔
３０  鋼管杭
３１  ブレード
３２  ジャッキ
３２ａ  ピストン
Ｓ  作業空間
【要約】
【課題】構造物の傾斜修復における作業性が良好な構造物傾斜修復器具を提供する。
【解決手段】構造物２０の基礎２１側近に設けられる鋼管杭３０に嵌る嵌合筒３を有する基礎２１の下方に突き出す支持板２と、鋼管杭３０上に載せられ、ジャッキ３２の載る台座４と、ジャッキ３２上に配置される基板１１と、基板１１の左右方向両側からそれぞれ下方に延びるねじ軸１２、１２とを有する持ち上げ部材５とを備え、各ねじ軸１２の下方に支持板２が取り付けられる。支持板２の上方で台座４がねじ軸１２に対して上下方向に移動可能であり、各ねじ軸１２は、支持板２に貫通する状態で、支持板２の下方でねじ結合する下ナット１６と台座４の上方にねじ結合する中ナット１５とを備える。
【選択図】図３【図１】
0005584812.tif 000002
【図２】
0005584812.tif 000003
【図３】
0005584812.tif 000004
【図４】
0005584812.tif 000005
【図５】
0005584812.tif 000006
【図６】
0005584812.tif 000007
【図７】
0005584812.tif 000008
【図８】
0005584812.tif 000009
【図９】
0005584812.tif 000010
【図１０】
0005584812.tif 000011
【図１１】
0005584812.tif 000012
【図１２】
0005584812.tif 000013
【図１３】
0005584812.tif 000014
【図１４】
0005584812.tif 000015
【図１５】
0005584812.tif 000016
【図１６】
0005584812.tif 000017